(57)【特許請求の範囲】
【請求項１】
人体の股部に装着可能な装着部と、
前記装着部の内部に取り付けられ、かつ人体の陰部に臨む開口部を有し、前記開口部を介して排泄物を受ける受け部と、
前記開口部を開閉可能に覆うシャッターと、
前記受け部に接続され前記受け部の排泄物を吸引する吸引パイプと
を備え、
前記シャッターは、前記排泄物の吸引時に前記開口部を覆い、通常時には前記開口部を開放するものである装着型排泄装置。
【請求項２】
前記シャッターは、スライド開き式のものである請求項１記載の装着型排泄装置。
【請求項３】
前記受け部は、断面がほぼ円形であり、
前記シャッターは、前記受け部の内周側に収納される円筒形で、かつ、外周の一部が前記開口部の幅とほぼ同じ幅だけ切り欠かれた円筒部材からなるものである請求項１記載の装着型排泄装置。
【請求項４】
前記受け部に洗浄水を給水する給水パイプを更に備え、
前記受け部は、前記シャッターを収納する収納部を有し、前記給水パイプは前記収納部にも給水可能であり、前記シャッターは、前記給水パイプから前記収納部への給水の水圧により前記開口部へ向かってスライドし、前記収納部からの排水により前記収納部の水圧がなくなると前記収納部に収容されることにより、前記開口部を開閉する請求項１から３のいずれかに記載の装着型排泄装置。
【請求項５】
前記シャッターは、前記開口部を部分的に塞ぐことによって、前記開口部を開放部と閉鎖部に分割する仕切板と、当該仕切板により形成された開放部とほぼ同じ大きさで、かつ、前記開放部と同じ数の羽根を有するインペラとにより構成されるものである請求項１記載の装着型排泄装置。
【請求項６】
前記受け部は断面がほぼ円形であり、
前記シャッターは、前記受け部の内周側に収納され、少なくとも前記開口部の幅を有する複数の外筒部材を、ほぼ円筒形をなすように間隔を開けて配置した回転部材からなるものである請求項１記載の装着型排泄装置。
【請求項７】
前記受け部に空気を供給する送風パイプを更に備える請求項１から６のいずれかに記載の装着型排泄装置。
【請求項８】
前記受け部は導光管と前記導光管を照射する光源を更に備え、前記受け部内部は、光触媒処理が施されている請求項１から７のいずれかに記載の装着型排泄装置。
【請求項９】
前記装着部の外部に、エアーマットを更に備える請求項１から８のいずれかに記載の装着型排泄装置。
【請求項１０】
前記吸引パイプへ吸引圧力を印加する吸引部を更に備える請求項１から９のいずれかに記載の装着型排泄装置。
【発明の詳細な説明】
【技術分野】
【０００１】
本発明は、病人や介護を必要とする患者にとって、排泄の度に取替えの不要な装着型排泄装置に関するものである。
【背景技術】
【０００２】
病気や怪我、あるいは加齢により、自力でトイレに行くことのできない病人や高齢者が、紙おむつを使用することがある。しかし、紙おむつを使用する場合には、排泄のたびに取替えが必要で、介護者にとって負担であるばかりでなく、使用者の自尊心を傷つける問題がある。
【０００３】
このため、おむつの様に人体の股部に装着可能な形状をした排泄装置であり、排泄装置の内部に溜まった排泄物を外部からパイプを通じて吸引する排泄装置が提案されている（例えば、特許文献１、特許文献２参照。）。
【０００４】
また、同様の装着型排泄装置であって、排泄物の漏れをセンサーで検知したり（例えば、特許文献３参照。）、洗浄力を高めたり（例えば、特許文献４参照。）する技術も提案されている。
【０００５】
これら以外にも、使用者や介護者の負担を減らすための排泄装置が提案されている（例えば、特許文献５、特許文献６、特許文献７参照。）。
【０００６】
【特許文献１】特開平６−５４８７４号公報
【特許文献２】特開２００５−６６０１１号公報
【特許文献３】特開平９−３０８６５７号公報
【特許文献４】特開２００４−１０５５０６号公報
【特許文献５】特開２００１−１９０５８３号公報
【特許文献６】特開２００２−３２０６５０号公報
【特許文献７】特開２００３−１４４４７６号公報
【発明の開示】
【発明が解決しようとする課題】
【０００７】
従来の技術における装着型排泄装置は、排泄装置の内部に排泄された排泄物が、吸引パイプなどを通じて吸引される。このとき、吸引のための圧力が排泄装置内部に及ぶ。排泄装置は、人体の股部に装着されているため、排泄装置内部にある人体の局部、陰部などが、この吸引により引っ張られる。このため、使用者は排泄物の吸引時に、痛みや不快感を受ける。
【０００８】
一方、痛みや不快感を低減するために吸引圧力を弱めると、吸引しきれない排泄物が残り不衛生である上、臭気などにより使用者や周囲の人にとって不快感が生じる。また、排泄物が残れば、衛生状態も悪くなり、病人や老人にとっての問題が大きい。
【０００９】
逆に排泄物が排泄装置内部に残らないように吸引するために十分な吸引圧力をかければ、局部や陰部への引っ張り圧力がますます高まり、使用者の不快感は耐え難いものになる。
【００１０】
このように、従来の技術における装着型排泄装置では、使用者は、排泄物の吸引の度に、痛みや不快感を伴う問題があった。結果として、病人や老人にとって、排泄を苦痛なものにする問題があった。
【００１１】
そこで本発明は、排泄装置内部に排泄物を残すことなく吸引すると共に、使用者への痛みや不快感を生じさせない装着型排泄装置を提供することを目的とする。
【課題を解決するための手段】
【００１２】
第１の発明に係る装着型排泄装置は、人体の股部に装着可能な装着部と、装着部の内部に取り付けられ、かつ人体の陰部に臨む開口部を有し、開口部を介して排泄物を受ける受け部と、開口部を開閉可能に覆うシャッターと、受け部に接続され受け部の排泄物を吸引する吸引パイプとを備えることを特徴とする。
【００１３】
シャッターが、排泄物の吸引時に開口部を覆い、通常時には開口部を開放する。これにより、排泄物の吸引時に、使用者への痛みや不快感を生じさせない。結果として、使用者にとって排泄行為を楽にすることができる。
【００１４】
第２の発明に係る装着型排泄装置は、シャッターが、スライド開き式のものであることを特徴とする。
【００１５】
開口部を覆うシャッターをスライドさせると、開口部が開放状態となり、シャッターを元の位置へスライドさせると、開口部が閉鎖状態となる。このように、本発明によれば、簡易な構成で開口部を開閉することができる。
【００１６】
第３の発明に係る装着型排泄装置は、受け部が、断面がほぼ円形であり、シャッターが、受け部の内周側に収納される円筒形で、かつ、外周の一部が開口部の幅とほぼ同じ幅だけ切り欠かれた円筒部材からなることを特徴とする。
【００１７】
使用者が排泄を行うときは、円筒部材の切り欠き部分が開口部に位置するように配置させて、使用者の排泄物を受け部に受ける。そして、受け部に溜まった排泄物を吸引するときは、円筒部材を回転させて開口部を塞ぐ。このように、本発明によれば、簡易な構成で開口部を開閉することができる。
【００１８】
第４の発明に係る装着型排泄装置は、受け部に洗浄水を給水する給水パイプを更に備え、受け部は、シャッターを収納する収納部を有し、給水パイプは収納部にも給水可能であり、シャッターは、給水パイプからの給水により開閉することを特徴とする。
【００１９】
この構成により、簡易な構成で、開口部を開閉可能に覆うことができる。また、受け部に給水される洗浄水の水圧を動力源としてシャッターを開閉させることもできるので、この場合、シャッターを開閉させるための動力源を別途設ける必要がなく、装着型排泄装置の小型化を図ることができる。
【００２０】
なお、前記洗浄水に、抗菌剤を含むとよい。この構成により、装着型排泄装置内部を清潔に保つことができる。
【００２１】
第５の発明に係る装着型排泄装置は、開口部を部分的に塞ぐことによって、開口部を開放部と閉鎖部に分割する仕切板と、この仕切板により形成された開放部とほぼ同じ大きさで、かつ、開放部と同じ数の羽根を有するインペラとにより構成されることを特徴とする。
【００２２】
使用者が排泄を行うときは、インペラの羽根を閉鎖部と重なるように配置させて、開口部の開放部を開放状態にする。この状態で使用者が排泄を行うと、排泄物は開放部から受け部に落ち始める。このとき、インペラを回転させると、排泄物は仕切板とインペラの羽根とにより細かく破砕された状態で受け部に落下する。そして、インペラの羽根を開放部と重なるように配置させて開放部を閉鎖し、開口部を塞いだ状態で、受け部に溜まった排泄物を吸引する。このように、本発明によれば、仕切板とインペラとを、開口部を開閉するシャッターとして機能させるだけでなく、簡易な構成で、排泄物を破砕する破砕装置としても機能させることができる。
【００２３】
第６の発明に係る装着型排泄装置は、受け部は断面がほぼ円形であり、シャッターは、受け部の内周側に収納され、少なくとも開口部の幅を有する複数の外筒部材を、ほぼ円筒形をなすように間隔を開けて配置した回転部材からなることを特徴とする。
【００２４】
使用者が排泄を行うときは、２つの外筒部材の間にある空間部分が開口部と重なるように配置することで、開口部を開放状態にする。この状態で使用者が排泄を行うと、排泄物は開口部から受け部に落ち始める。このとき、回転部材を回転させると、排泄物は開口部の外縁と外筒部材とにより細かく破砕された状態で受け部に落下する。そして、外筒部材を開口部と重なるように配置させて開口部を塞ぎ、この状態で、受け部に溜まった排泄物を吸引する。このように、本発明によれば、回転部材を、開口部を開閉するシャッターとして機能させるだけでなく、簡易な構成で、排泄物を破砕する破砕装置としても機能させることができる。
【００２５】
第７の発明に係る装着型排泄装置は、受け部に空気を供給する送風パイプを更に備えることを特徴とする。
【００２６】
この構成により、使用者の臀部や陰部を適度に乾燥させることができ、装着型排泄装置の装着による蒸れなどの不快感を低減できる。
【００２７】
なお、受け部は抗菌処理が施されている方が望ましい。
この構成により、受け部の衛生状態を高めることができる。
【００２８】
第８の発明に係る装着型排泄装置は、受け部が、導光管と導光管を照射する光源を更に備え、受け部内部は、光触媒処理が施されていることを特徴とする。
この構成により、光源により導光管を点灯させて受け部内部を照射することで、受け部内部に施された光触媒作用により、受け部内部の衛生状態を高めることができる。
【００２９】
また、前記装着型排泄装置の装着部には、人体の足を抜き差し可能な口を更に供えるとよい。この構成により、使用者は容易に装着型排泄装置を装着できる。
【００３０】
第９の発明に係る装着型排泄装置は、装着部の外部に、エアーマットを更に備えることを特徴とする。この構成により、装着型排泄装置を装着した使用者が、寝たきりの場合でも、その姿勢を適切に維持することができる。
【００３１】
第１０の発明に係る装着型排泄装置は、吸引パイプへ吸引圧力を印加する吸引部を更に備えることを特徴とする。この構成により、排泄物の吸引が容易となる。
【発明の効果】
【００３２】
本発明によれば、病人や高齢者のように単独での排泄行為が困難な者にとっても、寝たままで排泄を行うことができる。更に、排泄された排泄物が、装着型排泄装置から確実に排出される。
【００３３】
また、受け部に溜まった排泄物が吸引される場合には、シャッターが、排泄物の吸引時に開口部を覆うので、吸引圧力が使用者の陰部などに及ぶことがなく、痛みや不快感を感じることがない。このため、使用者にとっての排泄行為が楽なものになる。このため、介護負担が低減し、使用者の自立支援にも役立つ。
【００３４】
また、排泄物が受け部に溜まっている間には、受け部のシャッターが閉じているので、におい漏れもなく、使用者や周囲の人にとって、不快感が少ない。
【００３５】
更に、排泄物の吸引時に受け部のシャッターが閉じていることで、排泄物の飛散なども生じにくく、装着型排泄装置内部が清潔に保たれる。結果として、装着型排泄装置の取替え期間が長くなり、使用コストも低減できる。
【発明を実施するための最良の形態】
【００３６】
以下、図面を参照しながら、本発明の実施の形態を説明する。
【００３７】
（実施の形態１）
まず、図１〜図５を用いて、装着型排泄装置の構成について説明する。
【００３８】
図１は、本発明の実施の形態１における装着型排泄装置の斜視図である。図２は、本発明の実施の形態１における装着型排泄装置の側面図である。
【００３９】
装着型排泄装置１は、まず、人体の股部に装着可能な装着部２を備える。
【００４０】
装着部２は、開口３と開口５を有しており、開口３は装着時に人体の腰を通し、開口５は、装着時に人体の足を通す。バンド４は、装着時に人体と装着部２を固定する。すなわち、使用者は、開口５から足を通してパンツを穿くように装着型排泄装置１を装着する。
【００４１】
装着部２は、人体が触れても炎症やアレルギー反応が起きない安全な素材でできており、防水性と通気性を有した生地でできている。また、におい漏れを防止するために、外側をナイロンやビニールなどの素材で覆うことも好適である。また、股部へフィットした装着になるように、開口３や開口５は、ギャザー形状であることも好適であり、装着部２の人体に触れる部分は柔らかく、外側は硬質な素材で形成されることも好適である。装着型排泄装置１が人体に装着されると、装着部２は人体に適切にフィットする。
【００４２】
装着部２内部には、排泄物を受ける受け部９が備えられている。受け部９は、装着部２の底部に備えられている。また、装着部２は、開口部１０（図５、参照。）を有しており、装着型排泄装置１が人体に装着された場合に、開口部１０が人体の局部（排泄器官の位置）に対向する位置となるように、受け部９は装着部２内部に備えられる。受け部９は、この開口部１０を介して、排泄物を受け、受け部９内部に排泄物を溜める。排泄物を溜めやすいように、受け部９は、皿のような凹形状を含んでいることも好適である。更に、受け部９内部は、抗菌処理されていることも好適である。
【００４３】
また、受け部９に送風パイプが接続され、受け部９内部に空気が送風されることも、衛生面から好適である。また、送風パイプによる送風で、陰部を乾燥させることもできる。
【００４４】
また、受け部９には導光管と、導光管に光を照射する光源を備えていても良い。受け部９内部に光触媒処理が施されていると、導光管を通じた紫外線などの光により、抗菌効果や殺菌効果が得られる。受け部９は、排泄物が直接触れるので、このような衛生効果を高める処理がなされていることが好ましい。
【００４５】
更に、受け部９の開口部１０を覆う、シャッター１１が備えられている。シャッター１１は、開閉可能となっており、開口部１０を覆うように閉まることも、開口部１０を開放するように開くことも可能である。
【００４６】
吸引パイプ６は、受け部９につながっており、受け部９に溜まった排泄物を吸引して、排泄物を装着型排泄装置１の外部に排出する。吸引パイプ６は、受け部９につながった上で、装着型排泄装置１の先端（人体装着時の陰部付近）から、外部に突出し、吸引装置１２に接続される。吸引装置１２は、吸引パイプ６に吸引圧力を印加する。吸引装置１２は、ポンプ機能やバキューム機能を有することで、吸引圧力を印加する。
【００４７】
給水パイプ７は、受け部９内部やシャッター１１の開閉機構に給水する。受け部９に給水されることで、受け部９に溜まっている排泄物が柔らかくなって、吸引パイプ６より排泄されやすくなり、また、受け部９の洗浄もできる。このため、給水パイプ７より給水される水は、洗浄成分を含んでいることも、洗浄効果の面から好適である。
【００４８】
排水パイプ８は、給水パイプ７から給水された水のうち、シャッター１１の開閉機構に利用された水を排水する。なお、受け部９に給水された水は、排泄物と共に、吸引パイプ６を通じて、吸引装置１２に排水される。
【００４９】
装着型排泄装置１は、図１、図２に示されるように一体型で形成されても良いが、図３に示されるように、分離型で形成されてもよい。
【００５０】
図３は、本発明の実施の形態１における装着型排泄装置の斜視図である。図３に示される装着型排泄装置１では、装着部２と機能部１３とが分離可能になっている。機能部１３は、装着型排泄装置１の中で、排泄物を受ける受け部９や吸引パイプ６を含む部分である。これに対して装着部２は、装着型排泄装置１を人体に取り付けるための部分である。すなわち、機能部１３は、実際に人体からの排泄物を受けて、この排泄物を排出処理する機能を有しているが、装着部２は、人体への取り付けの機能を有している。
【００５１】
このため、装着型排泄装置１においては、主に、機能部１３が排泄物による汚れを受け、装着部２は、排泄物による汚れを受けにくい。図３に示されるような分離型であれば、汚れやすい機能部１３のみを交換できるので、装着型排泄装置１の使用コストが低減できる。
【００５２】
また、装着部２は人体への装着機能を有しているので、柔らかく肌触りのよい素材で構成されていることが好ましく、機能部１３は、排泄機能を有しているので、装着部２よりも強度の高い素材で構成されていることが好ましい。なお、機能部１３と装着部２は、ボタンやジッパーなどで接続されればよい。
【００５３】
機能部１３の分離のみならず、吸引パイプ６や給水パイプ７、排水パイプ８も個々に分離可能であってもよい。汚れの激しい部材から適宜変更可能となり、装着型排泄装置１の使用コストが更に低減するからである。
【００５４】
図４は、分離された機能部１３を示している。図４は、本発明の実施の形態１における機能部の斜視図である。装着型排泄装置１は、装着部２と交換用の機能部１３のセットで販売されることも好適である。
【００５５】
なお、図１、図２に示される様に、一体型で形成されている場合には、使用者が激しく動いたり寝返りをうったりしても、排泄機能を有する機能部１３が外れることが無いので、衛生状態の維持に効果的である。また、装着型排泄装置１全体が取り替えられるので、安価な材料を使用でき、普及品として活用できる。
【００５６】
次に、装着型排泄装置１の使用について説明する。
【００５７】
図５は、本発明の実施の形態１における装着型排泄装置の使用状態を説明する説明図である。装着型排泄装置１は、人体１５の股部に装着されている。バンド４により、装着型排泄装置１が人体１５に固定されている。装着型排泄装置１は、股部に装着されているので、人体１５の足１６が突き出ている。
【００５８】
人体１５に装着されると、排泄器官である陰部に対向するように、受け部９が位置する。受け部９の上面であって、陰部に対向する平面は開口部１０があり、シャッター１１は、この開口部１０を開閉できる。図５においては、シャッター１１が閉じた状態が示されている。受け部９の先端には、吸引パイプ６が接続されている。
【００５９】
人体に装着されている場合、通常は、シャッター１１は開いた状態である。使用者は、排泄時において、排泄物を受け部９に排泄する。シャッター１１が開いているので、排泄物は、受け部９に溜まる。更に、必要に応じて噴射ノズル１４から洗浄水が陰部に噴射され、排泄後の陰部を清潔にする。噴射ノズル１４には、給水パイプ７より洗浄水が給水される。陰部を洗浄した洗浄水は、排泄物と共に受け部９に溜まる。なお、このとき洗浄水が受け部９に溜まりやすいように、装着型排泄装置１の内側は、適当なカーブを有していることが好ましい。また、洗浄水は、抗菌剤を含んでいることも衛生面から好適である。
【００６０】
排泄が終了すると、シャッター１１は閉じ、受け部９と人体１５の陰部は、閉じたシャッター１１により隔離される。
【００６１】
シャッター１１が閉じると、吸引パイプ６に、吸引部として機能する吸引装置１２（図５には図示せず）から吸引圧力が印加される。受け部９に溜まっている排泄物は洗浄水と共に、この吸引圧力により吸引され、吸引パイプ６を通じて排出される。このとき、給水パイプ７から給水され、噴射ノズル１４から噴射された洗浄水により排泄物が柔らかくされているので、吸引が容易である。あるいは、噴射ノズル１４が設けられていない場合でも、給水パイプ７から受け部９に給水されることで、同様に排泄物が柔らかくされて、吸引が容易となる。
【００６２】
このように、通常ではシャッター１１が開いており、受け部９が開放されていることで、排泄物が受け部９に溜まる。受け部９に溜まった排泄物が吸引パイプ６から吸引される時にはシャッター１１が閉じているので、吸引パイプ６から受け部９に加わる吸引圧力が、人体１５の陰部などに及ばない。このため、従来の装着型排泄装置のように、排泄物の吸引時に加わる圧力による不快感や痛みなどが生じず、使用者が快適に排泄行為を行うことができる。
【００６３】
従来、排泄の度に感じていた痛みや不快感が生じないため、使用者は排泄行為を忌避することが少なくなり、便秘や排泄不良なども減少する。なお、吸引パイプ６から排泄物が吸引される場合に、受け部９の気圧低下を防止するために、装着型排泄装置１に、受け部９につながる弁付きの空気入れが設けられても良い。例えば、吸引パイプ６に対応する送風パイプが設けられ、吸引パイプ６による吸引時には、この送風パイプから受け部９に対して空気が供給される。この弁付きの空気入れにより、排泄物を吸引する際に、受け部９内の気圧が低下して排泄物が円滑に吸引されなくなることを防ぐことができる。この弁付きの空気入れは、人体１５の陰部からできるだけ離れた部分に設けられている方が望ましい。また、弁付きの空気入れを設ける代わりに、装着部２または機能部１３を通気性のよい素材で形成し、これらを通して外気が吸引される構成としてもよい。
【００６４】
以上のように、本発明の装着型排泄装置１によれば、自立的な排泄行為が困難な使用者が、不快感や痛みを感じることなく、他人の介護なしに排泄行為を行うことができる。
【００６５】
（実施の形態２）
次に、実施の形態２について説明する。実施の形態２では、受け部９の形状やシャッター１１の開閉機構の種々のバリエーションについて説明する。受け部９の形状や、シャッター１１の開閉機構は、種々の形態が適宜選択される。
【００６６】
図６、図７、図８、図９、図１０は、本発明の実施の形態２における受け部と周辺部分の断面図である。
【００６７】
まず、図６を用いて説明する。装着型排泄装置１は、人体に装着されており、臀部２０を密着して装着される。臀部２０に装着されるので、受け部９が、排泄器官である陰部に対向して位置する。図６に示される受け部９は、楕円に近い断面形状を有している。受け部９の断面が、楕円形状であることで、臀部２０の下方への出っ張り量が少なくて済み、使用者が寝ている体勢であっても、体の浮きが少なく、装着による違和感が少ない。また、楕円形状であることで、受け部９の容量に対して開口部１０の面積を広く取ることができ、受け部９は、排泄物を受けやすい。
【００６８】
シャッター１１は、開口部１０を開閉可能にする。シャッター１１は、スライド開き式の２枚の部材１７から構成されており、開く場合には、収納部１８に部材１７が収納される。収納部１８には、給水パイプ７が接続されており、収納部１８に給水されると、この水圧で部材１７は開口部１０に向かってスライドし、シャッター１１が開口部１０を閉じる。逆に、収納部１８から排水されると、収納部１８の水圧がなくなり、部材１７はそれぞれ収納部１８に収納され、シャッター１１は開口部１０を開放する。
【００６９】
このように、２枚の部材１７を用いたシャッター１１が、給水パイプ７を通じた給水と排水で開閉することで、簡易な構成の開閉機構が実現される。給水パイプ７は、受け部９や噴射ノズル１４への給水も兼ねることができるので、少ない構成要件で開閉機構が実現される。
【００７０】
また、受け部９と開閉機構は図７に示されるようなものでも良い。図７における受け部９の断面形状は、円形である。円形である場合には、臀部２０の下方への出っ張り量が大きくなるが、シャッター１１を形成する部材１７を、受け部９の外縁に沿って収納することができるため、受け部９の製造が容易となる。
【００７１】
また、図７におけるシャッター１１の開閉機構は、プーリー１９により実現される。プーリー１９は、部材１７を受け部９の外縁に沿ってスライドさせる。受け部９の外縁には、部材１７を収納する収納部１８が設けられ、プーリー１９の回転により収納部１８に収納されている部材１７が、収納部１８から引き出される。引き出された部材１７は、開口部１０を覆い、シャッター１１が開口部１０を閉じる。
【００７２】
プーリー１９が逆回転すれば、引き出された部材１７は収納部１８に向かってスライドされ、部材１７は収納部１８に収納される。部材１７が収納部１８に収納されると、シャッター１１は、開口部１０を開放する。
【００７３】
なお、給水パイプ７は、噴射ノズル１４に給水する。
【００７４】
次に、図８を用いて説明する。図８に示される受け部９は、丸みをもった方形の断面形状を有している。図６に示される楕円形状より、さらに上下方向につぶれた形状であり、開口部１０が広くなる上、臀部２０の下方の出っ張り量が少なくなるので、装着時の違和感が少ない。
【００７５】
シャッター１１は、２枚の部材１７から構成されており、部材１７のそれぞれは、収納部１８に収納される。収納部１８は、受け部９の外縁ではなく、装着型排泄装置１内部に設けられている。
【００７６】
部材１７は図７の場合と同じく、プーリー１９によりスライド動作を行う。プーリー１９は、その回転面が部材１７と接しており、プーリー１９の回転が、部材１７に伝達されて部材１７がスライド動作を行う。プーリー１９が一方向に回転すると、この回転力が伝達されて、部材１７は収納部１８から引き出される。部材１７は、開口部１０の左右から引き出されるので、２枚の部材１７の先端同士が接すると、開口部１０が閉じられる。すなわちシャッター１１は、受け部９を閉じる。
【００７７】
プーリー１９が前述とは逆の方向に回転すると、回転力が部材１７に伝達されて、引き出されていた部材１７が収納部１８に向かってスライドする。２枚の部材１７は、それぞれ収納部１８に収納されて、開口部１０は開放される。
【００７８】
図８に示されるようなシャッター１１の開閉機構であれば、受け部９を平たい方形形状にした上で、シャッター１１による開閉が実現されるので、使い勝手の良い装着型排泄装置１が実現される。
【００７９】
また、図９に示されるように、プーリー１９ではなくモータ２１を用いて、部材１７をスライドさせて、シャッター１１の開閉を実現してもよい。
【００８０】
また、図９に示されるようにシャッター１１は、臀部２０の曲線に沿った円弧状に開閉しても良いが、図１０に示されるように、逆の円弧状に開閉してもよい。図１０に示されるシャッター１１であれば、受け部９の容量が大きくなり、受け部９が、排泄物を溜めやすくなる。
【００８１】
また、シャッター１１を、図１１に示されるような構成としてもよい。図１１に示すように、シャッター１１は、仕切板６１と、インペラ６４とにより構成される。図１１（ａ）に示すように、仕切板６１とインペラ６４とは、受け部９内に設けられており、人体１５の陰部がインペラ６４に直接触れることを防止している。仕切板６１は、開口部１０を部分的に塞ぐことによって、開口部１０を開放部６２（図１３参照）と閉鎖部６３（図１３参照）に分割するものである。また、インペラ６４は、仕切板６１により形成された開放部６２とほぼ同じ大きさで、かつ、開放部６２と同じ数の羽根６５を有している。
【００８２】
図１１に示すように、仕切板６１は、平面視円形の開口部１０とほぼ同じ大きさの外形をなし、開口部１０に着脱自在に嵌め合わせることができるものである。仕切板６１には、同じ大きさの扇形の開口６１１が等間隔に設けられている。
【００８３】
インペラ６４は、仕切板６１の上方に、また、仕切板６１の中心と同軸に着脱自在に取り付けられ、給水パイプ７から供給される水による水圧や、送風パイプ（図示せず）から送られる空気圧、モータ（図示せず）などの動力により回転することが可能となっている。インペラ６４の羽根６５は、仕切板６１の開口６１１を塞ぐことができる大きさに形成されており、等間隔に配置されている。また、図１１（ａ）に示すように、羽根６５は、全体的にそれぞれ１０度程度傾いた状態で取り付けられている。
【００８４】
使用者が排泄を行うときは、図１３（ａ）に示すように、開口部１０を平面視して、羽根６５が、開口６１１に重ならないように配置する。これにより、開放部６２が開放状態となり、使用者の排泄物は、この開放部６２から受け部９へと落下することとなる。使用者が排泄を行った際には、図示しない動力源によりインペラ６４を回転させると、羽根６５と仕切板６１の開口６１１の縁部とにより排泄物を細かく破砕することができる。また、羽根６５がそれぞれ１０度程度傾いていることにより、排泄物をさらに効率よく破砕することができる。
【００８５】
受け部９に溜まった破砕された排泄物を吸引するときは、図１３（ｂ）に示すように、インペラ６４の羽根６５が、仕切板６１の開口６１１に重なるように配置する。これにより、開放部６２は羽根６５により閉鎖され、開口部１０はすべて塞がれた状態となる。この状態で、吸引装置１２により吸引圧力を印加して吸引を行うことにより、使用者には、吸引圧力が及ばないので、使用者に不快感を与えることがない。また、排泄物はすでに、インペラ６４により細かく破砕されているので、受け部９に溜まった排泄物をすばやく、かつ、確実に吸引することができる。
【００８６】
なお、図１１および図１２に示すシャッター１１においては、４つの開口６１１を有する仕切板６１と４枚の羽根６５で形成されたインペラ６４とを用いたが、開口や羽根の枚数は上記実施の形態に限るものではない。
【００８７】
また、仕切板６１とインペラ６４の形状は、図１２に示すようなものであってもよい。図１２に示すように、仕切板６６およびインペラ６７の羽根６８は、下方に湾曲した花びらを模した形状に形成されており、開口部１０から受け部９の奥側へ下がった位置に取り付けられている。羽根６８が下方に湾曲した花びらを模した形状であることにより、羽根６８が排泄物を保持しやすくなり、インペラ６７が回転しても、破砕された排泄物が開口部１０から飛び出したりすることを防ぐことができるので、使用者の陰部付近を清潔に保つことができる。また、仕切板６６およびインペラ６７が開口部１０から受け部９の奥側へ下がった位置に取り付けられていることにより、使用者の陰部にインペラ６７が当たってしまうことを防ぐこともできる。なお、この場合、仕切板６６を、インペラ６７側へ付勢する付勢手段（図示せず）を介して受け部９内に取り付ける方が望ましい。これにより、仕切板６６とインペラ６７との密着性を高めることができ、吸引時の使用者に対する不快感や臭い漏れ等を防ぐことができる。
【００８８】
また、シャッター１１を、図１４，１５に示されるような構成としてもよい。図１４，１５に示すように、シャッター１１は、受け部９の内周側に収納されるソケット７０と、このソケット７０に収納され、少なくとも開口部１０の幅（図１４中Ｔ）を有する複数の外筒部材７２を、ほぼ円筒形をなすように間隔を開けて配置した回転部材７１とにより構成される。
【００８９】
ソケット７０は開口部１０と同じ幅Ｔだけ外筒の一部が切り欠かれており、この切り欠かれた部分が開口部１０に臨むように配置されている。また、受け部９に収納した際に、受け部９に接続されている吸引パイプ６の一端と連結するように、排出用の開口７０１が形成されている。
【００９０】
回転部材７１は、２つの外筒部材７２を連結部材７３により間隔を開けた状態で連結した回転体であり、ソケット７０の内側に抜き差し自在に挿入される。連結部材７３はバネなどの付勢部材により構成されており、この付勢部材によって、外筒部材７２は常に半径方向外側に向かって付勢された状態となっている。この回転部材７１は、給水パイプ７から供給される水による水圧や、送風パイプ（図示せず）から送られる空気圧、モータ（図示せず）などの動力によりソケット７０の内周に沿って回転することが可能となっている。
【００９１】
使用者が排泄を行うときは、外筒部材７２が、開口部１０に重ならないように配置する。これにより、開口部１０は開放状態となっているので、使用者の排泄物は、開口部１０からソケット７０を介して受け部９へと落下することとなる。使用者が排泄を行った際には、図示しない動力源により回転部材７１を回転させると、外筒部材７２とソケット７０の開口部１０に臨む縁部７０２とにより排泄物を細かく破砕することができる。
【００９２】
ここで、回転部材７１の外筒部材７２は、連結部材７３の付勢部材によりソケット７０に向かって付勢されていることから、回転部材７１とソケット７０との間に余分な隙間を作ることがないので、回転部材７１とソケット７０との間に排泄物が溜まって回転部材７１の回転が不良となることを防ぐことができる。
【００９３】
受け部９に溜まった破砕された排泄物を吸引するときは、外筒部材７２が、開口部１０を塞ぐように回転させる。この状態で、吸引装置１２により吸引圧力を印加して吸引を行うことにより、使用者には、吸引圧力が及ばないので、使用者に不快感を与えることがない。また、排泄物はすでに、回転部材７１により細かく破砕されているので、受け部９に溜まった排泄物をすばやく、かつ、確実に吸引することができる。
【００９４】
なお、図１４，１５に示すシャッター１１においては、２つの外筒部材７２を連結した回転部材７１を用いたが、外筒部材７２の数は上記実施の形態に限るものではない。開口部１０を塞ぐことができ、かつ、開口部１０を開放することが可能な程度に間隔を開けて連結できれば、３つ以上の外筒部材を連結した回転部材を用いてもよい。
【００９５】
また、図１４，１５に示すシャッター１１においては、回転部材７１が同一方向へ回転することによりシャッター１１の開閉機構を実現できるので、図６〜図１０に示すシャッター１１の機構のように、シャッター１１を開閉させるためのプーリー１９やモータ２１を２つ設ける必要がなく、より簡易な構成でシャッター１１の機構を実現することができる。
【００９６】
このように、仕切板６１とインペラ６４により構成されるシャッター１１の機構、また、回転部材７１により構成されるシャッター１１の機構によれば、簡易な構成で、開口部１０を開閉するシャッター１１と排泄物を破砕する破砕装置との２つの機能を持たせることができる。また、このような排泄物を破砕することが可能なシャッター１１の機構を備えることにより、吸引装置１２による排泄物の吸引も容易となることから、吸引装置１２を小さい動力で動かすことができ、吸引装置１２の小型化、また、吸引装置１２を動作させるための電力コストの削減を図ることもできる。
【００９７】
なお、図６から図１０および図１４に示されるように、臀部２０と装着型排泄装置１との間に、緩衝材３０が設けられてもよい。緩衝材３０は、臀部２０への圧迫感を和らげると共に、シャッター１１および受け部９と臀部２０（および陰部）との距離を拡張する。このため、排泄物が臀部２０に付いたりすることを防止でき、排泄物の吸引時の不快感を、更に低減できる。
【００９８】
以上のように、図６から図１５を用いて説明したシャッター１１の開閉機構により、受け部９の開口部１０に対する開閉が容易かつ確実に実現できる。このシャッター１１の開閉により、通常時は、シャッター１１が開放されており、受け部９に排泄物が溜まる。排泄物の吸引時には、シャッター１１が閉じるので、吸引による不快感や痛みを使用者は感じないで済む。
【００９９】
また、受け部９に排泄物が溜まり、溜まった排泄物が吸引パイプ６を通じて排出されることで、装着型排泄装置１内部が清潔に保たれる。特に、吸引時には、シャッター１１が閉じているため、排泄物が受け部９の外部に飛散することも無い。また、排泄物が受け部９に溜まっている時には、シャッター１１が閉まるため、匂いの漏れも少なく、使用者や周囲の人への不快感も低減する。なお、シャッター１１は、２枚の部材から構成されても、１枚の部材から構成されても良い。また、受け部９の断面が円形である場合には、この円形の外周に沿った収納部１８にシャッター１１が収納されても良い。また、受け部９の断面が楕円形や方形の場合でも、これらの外周に沿った収納部１８に、シャッター１１が収納されてもよい。受け部９の形状は種々の形状が選択される。また、シャッター１１の形状や収納の方式も、種々の形状や方式が選択されればよい。
【０１００】
なお、シャッター１１の開閉は、使用者がスイッチなどを操作することにより行われても良く、受け部９にセンサーが設けられており、このセンサーにより排泄物が溜まったことが感知されれば、自動で開閉動作が行われても良い。なお、排泄物が溜まったことを感知するセンサーは、匂いセンサーや赤外線センサーなどで実現される。
【０１０１】
装着型排泄装置１は、図１６に示されるように、その外部にエアーマット４０を備えても良い。図１６は、本発明の実施の形態２における装着型排泄装置の斜視図である。
【０１０２】
エアーマット４０は、装着部２の外部に設けられた羽の形状を模した部材であり、空気の送り込みにより膨らむ。人体の股部に装着した場合に、エアーマット４０は、ちょうど腰を支える位置に設けられる。装着型排泄装置１の使用者は、寝たきりの病人など、自立動作が困難な者である場合が多く、寝たきりの姿勢を維持するのが困難である。このため、エアーマット４０が設けられている場合には、エアーマット４０は、寝たきりの使用者の腰を支え、適当な仰向けの姿勢の維持を補助する。
【０１０３】
このため、使用者の排泄行為はますます楽になり、痛みや不快感を伴わない排泄行為とあいまって、介護負担を低減させる。また、使用者の排泄行為を容易にすることで、使用者の自立支援にも役立つ。
【０１０４】
図１７は、本発明の実施の形態２における装着型排泄装置の装着状態を示す説明図である。図１７に示されるように、使用者５０は、装着型排泄装置１を股部に装着する。装着された装着型排泄装置１は、吸引パイプ６を通じて、吸引装置１２に接続されている。吸引パイプ６は、給水パイプ７などと一緒に束ねられてもよい。
【０１０５】
吸引装置１２は、吸引パイプ６に対して吸引圧力を印加すると共に、タンクを有しており、吸引した排泄物を溜める。
【０１０６】
使用者５０は、装着型排泄装置１を装着し、受け部９に排泄する。受け部９に排泄物が溜まったら、シャッター１１が閉じて、排泄物が吸引パイプ６から吸引される。吸引時には、シャッター１１が閉じているので、吸引圧力が陰部などに及ぶことがなく、使用者５０は不快感や痛みを感じることもない。
【産業上の利用可能性】
【０１０７】
本発明は、例えば、単独での排泄行為が困難な使用者にとっての装着型排泄装置として好適に用いることができる。
【図面の簡単な説明】
【０１０８】
【図１】本発明の実施の形態１における装着型排泄装置の斜視図
【図２】本発明の実施の形態１における装着型排泄装置の側面図
【図３】本発明の実施の形態１における装着型排泄装置の斜視図
【図４】本発明の実施の形態１における機能部の斜視図
【図５】本発明の実施の形態１における装着型排泄装置の使用状態を説明する説明図
【図６】本発明の実施の形態２における受け部と周辺部分の断面図
【図７】本発明の実施の形態２における受け部と周辺部分の断面図
【図８】本発明の実施の形態２における受け部と周辺部分の断面図
【図９】本発明の実施の形態２における受け部と周辺部分の断面図
【図１０】本発明の実施の形態２における受け部と周辺部分の断面図
【図１１】（ａ）は本発明の実施の形態２における受け部と周辺部分の断面図であり、（ｂ）は（ａ）のシャッター機構部分の分解斜視図
【図１２】（ａ）は本発明の実施の形態２における受け部と周辺部分の断面図であり、（ｂ）は（ａ）のシャッター機構部分の分解斜視図
【図１３】本発明の実施の形態２におけるシャッターの開閉状態を示す概略平面図
【図１４】本発明の実施の形態２における受け部と周辺部分の断面図
【図１５】本発明の実施の形態２におけるシャッターの斜視図
【図１６】本発明の実施の形態２における装着型排泄装置の斜視図
【図１７】本発明の実施の形態２における装着型排泄装置の装着状態を示す説明図
【符号の説明】
【０１０９】
１  装着型排泄装置
２  装着部
４  バンド
６  吸引パイプ
７  給水パイプ
８  排水パイプ
９  受け部
１０  開口部
１１  シャッター
１２  吸引装置
１３  機能部
１４  噴射ノズル
１５  人体
１６  足
１７  部材
１８  収納部
１９  プーリー
２０  臀部
２１  モータ
３０  緩衝材
４０  エアーマット
５０  使用者
６１，６６  仕切板
６１１  開口
６２  開放部
６３  閉鎖部
６４  インペラ
６５  羽根
７０  ソケット
７０１  開口
７０２  縁部
７１  回転部材
７２  外筒部材
７３  連結部材
Ｔ  開口部の幅
【図１】
0004502973.tif 000002
【図２】
0004502973.tif 000003
【図３】
0004502973.tif 000004
【図４】
0004502973.tif 000005
【図５】
0004502973.tif 000006
【図６】
0004502973.tif 000007
【図７】
0004502973.tif 000008
【図８】
0004502973.tif 000009
【図９】
0004502973.tif 000010
【図１０】
0004502973.tif 000011
【図１１】
0004502973.tif 000012
【図１２】
0004502973.tif 000013
【図１３】
0004502973.tif 000014
【図１４】
0004502973.tif 000015
【図１５】
0004502973.tif 000016
【図１６】
0004502973.tif 000017
【図１７】
0004502973.tif 000018